(57)【要約】【課題】例えば既設の建築物に外壁材として施工された軽量気泡コンクリート（ＡＬＣ）パネル表面の塗装を剥離する場合などに用いるＡＬＣパネルの表面加工具に係り、ＡＬＣパネルの表面を過度に荒らしたり、傷めることなく、簡便かつ容易・迅速にパネル表面の塗装を剥離除去したり、所望の加工処理等を施すことができるようにする。【解決手段】周囲に加工爪２を有する回転体３を支持フレーム１に回転自由に支持させ、その回転体３を所定速度で回転駆動させるモータ等の駆動源４を上記支持フレーム１上に設けたことを特徴とする。上記支持フレーム１には、必要に応じて操作者が手で持って移動操作するためのハンドルグリップ部１ａを一体的に設けることができる。【選択図】図１
2005155082.tif 000002
【特許請求の範囲】
【請求項１】
周囲に加工爪を有する回転体を支持フレームに回転自由に支持させ、その回転体を所定速度で回転駆動させるモータ等の駆動源を上記支持フレーム上に設けたことを特徴とするＡＬＣ外装面の加工装置。
【請求項２】
前記支持フレームには操作者が手で持って移動操作するためのハンドルグリップ部を一体的に設けてなる請求項１記載のＡＬＣ外装面の加工装置。
【請求項３】
前記加工爪は、それを保持するホルダを介して前記回転体に対して揺動可能に取付けられ、前記回転体には、上記ホルダの揺動範囲を規制すると共に、加工時に該ホルダに掻き上げ力を付与する掻き上げバーが設けられている請求項１または２記載のＡＬＣ外装面の加工装置。
【請求項４】
前記加工爪は、それを保持するホルダに形成した長孔によって前記回転体に対して、その半径方向に移動可能に且つ揺動不能に取付けられている請求項１または２記載のＡＬＣ外装面の加工装置。
【発明の詳細な説明】
【技術分野】
【０００１】
本発明は軽量気泡コンクリート（ＡＬＣ）外装面の加工装置に関する。更に詳しくは、例えば既設建築物に外壁材などとして施工されたＡＬＣパネル等のＡＬＣ外装面に所望の凹凸加工等を施す場合、もしくはＡＬＣ外装面に塗布した塗装を剥離除去する場合などに用いるＡＬＣ外装面の加工装置に関するものである。
【背景技術】
【０００２】
ＡＬＣパネルは経済性、軽量性、耐火性、断熱性、遮音性、加工性等に優れており、主に建築物の外壁材や間仕切り材などとして広く使用されている。しかしながら、ＡＬＣはその性質上、建築物の殆どの使用部位においてパネル表面に塗装等の仕上げ処理を施すのが一般的である。
【０００３】
ところが、上記のような建築物の外壁材などとして施工されたＡＬＣパネルは、外部環境からの影響による経時的な劣化や損傷が生じるのを防ぐことは殆ど不可能であり、このような劣化や損傷が生じた場合には、その部分の表層を広く一様に削り取って、基材表面を露出させた後、再度塗装などの仕上げ処理を施すようにしている。
【０００４】
この場合、上記の劣化や損傷が生じた部分の表層を削り取る方法としては、例えば研磨器具や研削器具を用いて手作業で削り取る方法や、小鉄球や砂等を高速でパネル表面に衝突させて表層を削り取る方法等が一般に知られている。このうち、前者は特段の設備もいらず簡単に実施可能であるが、作業効率が極端に悪く、広い面の削り取り作業には適さない。また後者は、作業自体は容易であるが、作業後に小鉄球や砂を表層面から除去する必要があり、この作業が煩雑かつ面倒である等の問題がある。
【０００５】
そこで、例えば下記特許文献１においては、前後方向に進退動する複数の棒を装備した打撃用具によってパネル表面を削り取る方法が提案されている。しかし、この方法は表層を削り取る機能は良いが表層面を荒してしまうため表層面に平面を出したい場合には適さないだけでなく、一度に削り取る面が少ないため作業効率が悪く、しかも、上記の進退動によって大きく振動する打撃用具を長時間手で持ち続けなければならないので、作業者の健康管理上何らかの配慮が必要となる等の問題がある。
【０００６】
【特許文献１】特開２００１−３５５３２４号公報
【発明の開示】
【発明が解決しようとする課題】
【０００７】
本発明は上記の問題点に鑑みて提案されたもので、ＡＬＣパネルの表面を過度に荒らしたり、傷めることなく、簡便かつ容易・迅速にパネル表面の塗装を剥離除去したり、所望の加工処理等を施すことのできるＡＬＣ外装面の加工装置を提供することを目的とする。
【課題を解決するための手段】
【０００８】
上記の目的を達成するために本発明によるＡＬＣ外装面の加工装置は、以下の構成としてものである。即ち、周囲に加工爪を有する回転体を支持フレームに回転自由に支持させ、その回転体を所定速度で回転駆動させるモータ等の駆動源を上記支持フレーム上に設けたことを特徴とする。上記支持フレームには、必要に応じて操作者が手で持って移動操作するためのハンドルグリップ部を一体的に設けることができる。また前記加工爪は、それを保持するホルダを介して前記回転体に対して揺動可能に取付け、前記回転体には、上記ホルダの揺動範囲を規制すると共に、加工時に該ホルダに掻き上げ力を付与する掻き上げバーを設ける。あるいは前記加工爪は、それを保持するホルダに形成した長孔によって前記回転体に対して、その半径方向に移動可能に且つ揺動不能に取付けるようにしてもよい。
【発明の効果】
【０００９】
上記のように構成された本発明によるＡＬＣ外装面の加工装置によれば、ＡＬＣパネルの表面を過度に荒らしたり、傷めることなく、簡便かつ容易・迅速にパネル表面の塗装を剥離除去したり、所望の加工処理等を施すことが可能となる。
【発明を実施するための最良の形態】
【００１０】
以下、図に示す実施形態に基づいて本発明を具体的に説明する。図１は本発明によるＡＬＣ外装面の加工装置（加工具）の一実施形態を示す縦断面図、図２および図３はそれぞれ図１におけるＡ−ＡおよびＢ−Ｂ線に沿う横断平面図である。
【００１１】
本実施形態の加工装置は、手軽に持ち運んで簡便に施工できるように、いわゆるハンディータイプに構成したもので、手で持って移動操作するためのハンドルグリップ部１ａを有する支持フレーム１に、周囲に多数の加工爪２を有する回転体３と、その回転体を回転駆動させるモータ等の駆動源４とを備えた構成である。図中、１ｂは加工時に上記ハンドルグリップ部１ａを握った手と反対の手または吊り具等で加工装置を把持したり吊り下げ保持するための取っ手である。
【００１２】
上記回転体３は、支持フレーム１に回転可能に設けた回転中心軸５と、その回転中心軸５の両端部に一体的に設けた回転円板６と、その両回転円板６・６間の略中央部にそれらと一体的に設けた従動プーリ７等で構成され、前記モータ等の駆動源４の出力軸上に設けた駆動プーリ８からベルト９を介して上記従動プーリ７に動力を伝達することによって上記回転体３を所定の速度で回転駆動させる構成である。
【００１３】
上記各回転円板６・６と従動プーリ７との間には、それぞれ周方向に複数本、図の場合は３本の支軸１０が設けられ、その各支軸１０にはドラム状のホルダ１１および基板１２を介して前記の加工爪２が揺動可能に取付けられている。
【００１４】
上記の加工爪２は、本実施形態においては鋼材等よりなる丸棒状のものが用いられ、それを複数本ずつまとめて上記の基板１２に植設し、その基板１２を図に省略したボルト等で前記の各ホルダ１１に脱着可能に取付けた構成であり、その各ホルダ１１は、その内方に設けた貫通孔１１ａ内に前記の支軸１０を挿通させることによって揺動可能に保持されている。
【００１５】
上記貫通孔１１ａは、ドラム状ホルダ１１の中心位置よりも前記基板１２と反対側に偏心して設けられ、その貫通孔１１ａの内径は上記支軸１０の外径よりも２０〜５０％程度大きく形成されている。なお上記ホルダ１１や加工爪２の形状、本数および配置構成等は適宜変更可能である。
【００１６】
前記回転円板６の周方向に隣り合うホルダ１１・１１間には、図３（ｂ）に示すように各ホルダ１１の揺動範囲を規制すると共に、加工時にホルダ１１に掻き上げ力を付与するための掻き上げバー１３が設けられている。その各掻き上げバー１３は、本実施形態においては筒状に形成され、回転円板６・６間に取付けた支持棒１４の周面に嵌合保持されている。
【００１７】
上記のように構成された加工装置によって、例えば既設の建築物に外壁材として施工されたＡＬＣパネルＰの表面の塗装Ｃ等を剥離する場合には、前記のハンドル１ａを手で握った状態でモータ等の駆動源４を作動させて回転体３を所定の速度で回転駆動させる。その状態で、上記回転体３と共に回転する加工爪２を図１に示すようにパネルＰの表面に接触させながら、その表面に沿って移動させて該パネル表面の塗装Ｃを順次剥離して行けばよく、それによってパネル表面の塗装を効率よく剥離除去することができる。
【００１８】
特に、図の実施形態においては、前記各加工爪２は、ホルダ１１および基板１２を介して支軸１０に揺動可能に取付けられているので、該加工爪２がパネル表面に接触する前は、遠心力によって放射方向外方に向いた状態で回転し、加工爪２がパネル表面に接触すると、その反力で加工爪２がやや跳ね返されるようにしてホルダ１１と共に上記の回転方向と反対方向に退避回動する。それによって加工爪２がパネル表面に当たる衝撃が緩和される。
【００１９】
次いで、上記加工爪２がホルダ１１とともに所定量退避回動すると、該ホルダ１１が掻き上げバー１３に当接して、それ以上の退避回動が阻止された後、それと反対の所定の回転方向に回動すると共に、上記掻き上げバー１３によってホルダ１１および基板１２を介して加工爪２がパネル表面を引っ掻くように切削しながらパネル表面の塗装を順次剥離していく。それによってパネル表面の塗装を効率よく取り除くことができるものである。
【００２０】
なお、上記実施形態は、加工爪２を回転体３に対して揺動可能に取付けたが、揺動不能に、また必要に応じて半径方向に移動可能に構成してもよい。図３はその一例を示すもので、加工爪２を保持するホルダ１１に、回転体３の半径方向（放射方向）に延びる長孔１１ｂを設け、その長孔１１ｂに支軸１０を挿通することによって、上記ホルダ１１および加工爪２を回転体３の半径方向に移動可能に構成すると共に、上記支軸１０を上記長孔１１ｂ内にほぼ丁度嵌る大きさの断面ほぼ矩形状に形成することによって、上記ホルダ１１および加工爪２が回転体３に対して揺動不能（回動不能）に構成したものである。
【００２１】
そのようにすると、加工爪２がパネル表面に当たる際に、その加工爪２がホルダ１１と共に回転体３の半径方向内方に退避移動してパネル表面への衝撃を緩和することができると共に、加工爪２がパネル表面を引っ掻く際には該加工爪２が回転体３に対して揺動することなく、より確実に塗装を剥ぎ取ることができる。また前記実施形態のような掻き上げバー１３が不要となるので、加工具の軽量化、簡略化を図ることができる。
【００２２】
また前記支持フレーム１を、例えば加工すべきパネルＰに対面する側を除く回転体３および加工爪２の略全周を覆うような形状にすると、加工爪２で切削した切り屑や塗装が飛散するのを防ぐことができ、さらに上記支持フレーム１内の切り屑や塗装を吸引除去する集塵機等を設ければ周囲環境を汚損するのを更に良好に防止することが可能となる。
【００２３】
さらに上記実施形態は、既設の建築物に外壁材として施工されたＡＬＣパネルＰの表面の塗装Ｃ等を剥離除去する場合を例にして説明したが、本発明による加工装置は、それに限らず例えばＡＬＣパネルの表面に所望の模様や凹凸加工等を施す場合にも適用できる。またＡＬＣパネルに限らず、例えば建築物に外壁面にＡＬＣを直接吹き付け塗布する等して形成したＡＬＣ外装面にも適用できる。
【産業上の利用可能性】
【００２４】
以上のように本発明によるＡＬＣ外装面の加工装置によれば、パネル表面に塗布した塗装を剥離する場合や所望の表面加工等を施す場合に手軽に且つ容易・迅速に処理することができるもので、取り扱いや操作が容易で且つ簡便な加工装置を安価に提供することが可能となる。また前記従来例のように往復進退動するものではないから、振動が少なく、作業が容易で疲労が少なく、作業者の健康管理上および環境衛生上も何ら支障なく施工できる等の利点がある。
【図面の簡単な説明】
【００２５】
【図１】本発明によるＡＬＣ外装面の加工装置の一実施形態を示す縦断面図。
【図２】図１におけるＡ−Ａ線断面図。
【図３】回転体の変更例を示す横断面図。
【符号の説明】
【００２６】
１  支持フレーム
１ａ  ハンドルグリップ部
１ｂ  取っ手
２  加工爪
３  回転体
４  駆動源
５  回転中心軸
６  回転円板
７  従動プーリ
８  駆動プーリ
９  ベルト
１０  支軸
１１  ホルダ
１２  基板
１３  掻き上げバー
Ｐ  ＡＬＣパネル
Ｃ  塗装
【図１】
2005155082.tif 000003
【図２】
2005155082.tif 000004
【図３】
2005155082.tif 000005